(57)【特許請求の範囲】
【請求項１】
火災等の異常を監視する防災監視システムに於いて、
火災を監視し、火災検出時に火災警報処理を行う受信機と、
前記受信機に汎用回線を介して接続され、火災以外の所定のイベントを監視して下りイベント信号を前記受信機に送信する他設備の監視装置と、
前記受信機に有線回線を介して接続され、火災検出時に火災検出信号を前記受信機に送信する複数の火災感知器と、
前記複数の火災感知器のうち所定の火災感知器に無線回線を介して接続され、火災以外の所定のイベントを検出して上りイベント信号を前記接続された火災感知器に送信する端末装置と、
前記火災感知器に設けられ、前記火災検出信号及び前記接続した端末装置から受信した上りイベント信号を前記受信機に送信すると共に、前記受信機を経由して前記他設備の監視装置から受信した下りイベント信号を対応する端末装置に送信する感知器中継部と、
前記受信機に設けられ、前記火災感知器を経由して前記端末装置から受信した上りイベント信号を対応する他設備の監視装置に送信すると共に、前記他設備の監視装置から受信した下りイベント信号を対応する火災感知器に送信する受信機中継部と、
を備えたことを特徴とする防災監視システム。
【請求項２】
請求項１記載の防災監視システムに於いて、
前記端末装置は、送信先の他設備を特定する宛先識別子と検出したイベント内容を示すイベント情報を含む上りイベント信号を送信し、
前記感知器中継部は、前記端末装置から受信した上りイベント信号に感知器アドレスを含めて前記受信機に送信し、
前記受信機中継部は、前記火災感知器から受信した上りイベント信号の感知器アドレスから変換したイベント発生場所を示すエリア情報及びイベント発生時刻を示す時刻情報を含む上りイベント信号を前記宛先識別子により判別された他設備の監視装置に送信することを特徴とする防災監視システム。
【請求項３】
請求項１記載の防災監視システムに於いて、
前記他設備の監視装置は、前記端末装置の設置場所を示すエリア情報、前記端末装置に対するイベント内容を示すイベント情報及び発信元を示す送信元識別子を含む下りイベント信号を前記受信機に送信し、
前記受信機中継部は、前記他設備の監視装置から受信した下りイベント信号のエリア情報から変換した感知器アドレスを含む下りイベント信号を前記有線回線に送信し、
前記感知器中継部は、前記受信機から自己の感知器アドレスを含む下りイベント信号を受信して前記イベント情報と送信元識別子を含む下りイベント信号を前記端末装置に送信し、
前記端末装置は、前記火災感知器から自己に対応した送信元識別しを含む下りイベント信号を受信して前記イベント情報に応じた制御、表示又は処理を行うことを特徴とする防災監視システム。
【請求項４】
請求項１記載の防災監視システムに於いて、前記無線回路は、電波通信、赤外線通信又は超音波通信により前記端末装置と火災感知器との間を接続することを特徴とする防災監視システム。
【発明の詳細な説明】
【技術分野】
【０００１】
本発明は、受信機から引き出された感知器回線に伝送機能を備えた火災感知器を接続して火災などの異常を監視する防災監視システムに関する。
【背景技術】
【０００２】
従来の防災監視システムは、防災センタに受信機を設置し、警戒区域となる端末側には火災感知器、発信機、地区音響等の機器及び防排煙機器を設置し、それぞれ受信機からの伝送路に接続してシステムを構成している。
【０００３】
このような防災監視システムで火災感知器が作動して受信機で作動表示が行われた場合、防災監視システムの管理者は、防災センタの受信機に表示されている作動地区に出向いて現場の状況を確認し、確認後に防災センタに戻るか別の管理者に連絡して受信機で火災確定操作を行って地区音響警報を鳴動させた後、非常放送による避難誘導や消防機関への通報などの適切な処置を行うような運用となっている。
【０００４】
一方、防災監視システムが設置される建物などの施設にあっては、同時に、セキュリティシステム、空調システム、入退出管理システムといった監視や制御のための別の設備を設置しており、設備毎に専用のライン（配線）を敷設してシステムを構築している。
【特許文献１】特開２００６−０４８２１１号公報
【特許文献２】特開平５−００６４９２号公報
【発明の開示】
【発明が解決しようとする課題】
【０００５】
しかしながら、このような従来の同じ建物に設置される防災監視システムを含む複数の設備にあっては、設備毎に専用の配線を敷設してシステムを構築する必要があり、設備の導入に大きなコストがかかっている。また、この種の設備にあっては、設備の監視装置において端末に設置したセンサ等の機器について、制御又は監視のために端末の場所を把握することが必要となり、場所を把握するための仕組みを設けるために大掛かりなシステムになってしまうという問題がある。
【０００６】
本発明は、受信機で設置場所を把握可能な伝送機能をもつ火災感知器を備えた防災監視のための設備環境を利用して、他設備の端末と監視装置の間の情報伝送を可能とする防災監視システムを提供することを目的とする。
【課題を解決するための手段】
【０００７】
本発明は、火災等の異常を監視する防災監視システムに於いて、
火災を監視し、火災検出時に火災警報処理を行う受信機と、
受信機に汎用回線を介して接続され、火災以外の所定のイベントを監視して下りイベント信号を受信機に送信する他設備の監視装置と、
受信機に有線回線を介して接続され、火災検出時に火災検出信号を受信機に送信する複数の火災感知器と、
複数の火災感知器のうち所定の火災感知器に無線回線を介して接続され、火災以外の所定のイベントを検出して上りイベント信号を接続された火災感知器に送信する他設備の端末装置と、
火災感知器に設けられ、火災検出信号及び接続した端末装置から受信した上りイベント信号を受信機に送信すると共に、受信機を経由して他設備の監視装置から受信した下りイベント信号を対応する端末装置に送信する感知器中継部と、
受信機に設けられ、火災感知器を経由して端末装置から受信した上りイベント信号を対応する他設備の監視装置に送信すると共に、他設備の監視装置から受信した下りイベント信号を対応する火災感知器に送信する受信機中継部と、
を備えたことを特徴とする。
【０００８】
ここで、端末装置は、送信先の他設備を特定する宛先識別子と検出したイベント内容を示すイベント情報を含む上りイベント信号を送信し、
感知器中継部は、端末装置から受信した上りイベント信号に感知器アドレスを含めて受信機に送信し、
受信機中継部は、火災感知器から受信した上りイベント信号の感知器アドレスから変換したイベント発生場所を示すエリア情報及びイベント発生時刻を示す時刻情報を含むりイベント信号を宛先識別子により判別された他設備の監視装置に送信する。
【０００９】
他設備の監視装置は、端末装置の設置場所を示すエリア情報、端末装置に対するイベント内容を示すイベント情報及び発信元を示す送信元識別子を含む下りイベント信号を受信機に送信し、
受信機中継部は、他設備の監視装置から受信した下りイベント信号のエリア情報から変換した感知器アドレスを含む下りイベント信号を有線回線に送信し、
感知器中継部は、受信機から自己の感知器アドレスを含む下りイベント信号を受信してイベント情報と送信元識別子を含む下りイベント信号を端末装置に送信し、
端末装置は、火災感知器から自己に対応した送信元識別しを含む下りイベント信号を受信してイベント情報に応じた制御、表示又は処理を行う。
【００１０】
無線回路は、電波通信、赤外線通信又は超音波通信により端末装置と火災感知器との間を接続する。
【発明の効果】
【００１１】
本発明によれば、受信機において火災感知器の設置場所を把握可能な火報ライン伝送系を利用して、他設備の端末装置と監視装置との間で端末設置場所を把握できる情報の双方向伝送が実現され、他設備において専用のライン伝送系を敷設することなく他設備のシステムを構築することができ、システム構築の設備費用を大幅に抑えることができる。
【００１２】
また、火報ライン伝送系を利用することにより、停電時にもバッテリーによる電源バックアップが行われるため、停電時に他設備のシステム稼動が可能となり、高い信頼性を確保することができる。
【００１３】
更に、端末の設置場所、時刻情報などの付加情報を防災監視システムにより一元管理して他設備に提供できるため、他設備において端末設置場所の管理や時刻管理などのメンテナンスも不要となり、防災監視システムを含む複数設備であっても、全体として設備の単純化を図ることができ、各設備の運用と管理も効率的に行うことができる。
【発明を実施するための最良の形態】
【００１４】
図１は本発明による防災監視システムの実施形態を示した説明図である。図１において、防災センタなどに設置された受信機１０からは、建物内の警戒区域に向けて火報用伝送回線１２が複数系統引き出されており、火報用伝送回線１２には伝送機能を備えた火災感知器１４が接続されている。
【００１５】
火災感知器１４のそれぞれには固有の感知器アドレスが予め設定されている。感知器アドレスは例えば８ビットアドレスであり、したがって火報用伝送回線１２の１回線当たり最大２５５アドレスまでの火災感知器１４を接続することができる。
【００１６】
受信機１０は、通常の監視時にあっては、感知器アドレスを順次指定した正常監視用のポーリングコマンドを送信しており、火災感知器１４は自己の設定アドレスに一致するポーリングコマンドを受信すると、正常監視応答を行う。このため受信機１０にあっては、ポーリングコマンドに対し応答がなかった火災感知器１４があった場合には、その感知器の障害を検出することができる。
【００１７】
火災感知器１４は、受信機１０の全ての感知器アドレスに対するポーリングコマンドの送信周期ごとに繰り返し出力される一括ＡＤ変換コマンドを受信した際に、内蔵した火災検出機構における煙濃度や温度などのアナログ検出データをサンプリングし、予め定めた火災レベルと比較し、火災レベルを超えたときに火災を検出するようにしている。
【００１８】
火災感知器１４で一括ＡＤ変換コマンドに基づくサンプリング結果から火災を判断した場合には、その後の自己の感知器アドレスを指定したポーリングコマンドのタイミングで、受信機１０に対し割込信号を送信する。割込信号は応答ビットをオール１とするような通常は使用されない信号を送る。
【００１９】
受信機１０は火災感知器１４側からの割込信号を受信すると、グループ検索コマンドを発行して、火災検出した火災感知器を含むグループからの割込応答を受信してグループを判別し、続いて、判別したグループに含まれる個々の火災感知器に対し、順次アドレスを指定したポーリングを行い、火災応答を受けることで、火災を検出した火災感知器１４の感知器アドレスを認識し、火災警報動作を行うことになる。
【００２０】
火報用伝送回線１２に接続される最大２５５台の火災感知器１４は、例えば８台ごとにグループアドレスが設定されており、受信機１０からのグループ検索コマンドに対し、火災を検出している感知器が含まれるグループから割込応答が行われ、火災を検出している火災感知器１４を含むグループを特定できるようにしている。
【００２１】
このような火報用伝送回線１２を介して受信機１０に伝送機能を有する火災感知器１４を接続した防災監視システムに加え、本実施形態にあっては、同じ施設内にセキュリティシステム、空調システムといった他の設備が同時に設置されており、この他設備に対応して他設備監視装置１６，１８が設置されている。
【００２２】
また火災感知器１４を設置している警戒区域には、他設備監視装置１６に対応してイベント端末装置２０が設置され、また他設備監視装置１８に対応してイベント端末装置２２が設置されている。
【００２３】
他設備監視装置１６，１８に対応して設置されたイベント端末装置２０，２２は、例えば非常押ボタンスイッチやセンサなどであり、他設備に対応した押ボタン操作や環境状態を検出して、防災監視システムの伝送系統を利用して他設備監視装置１６，１８のそれぞれにイベント情報を送信する。
【００２４】
このイベント端末装置２０，２２から他設備監視装置１６，１８に送るイベント信号を、以下、上りイベント電文（上りイベント信号）という。これに対し、他設備監視装置１６，１８からイベント端末装置２０，２２に対し送るイベント信号を、以下、下りイベント電文（下りイベント信号）という。
【００２５】
イベント端末装置２０，２２のそれぞれは、火災感知器１４に対し無線回線で接続されている。例えばイベント端末装置２０で押ボタン操作によるイベントが発生すると、送信先（宛先）を示すベンダ識別子（ベンダＩＤ）と、非常押ボタンのオンオフを示すイベント情報をもつ上りイベント電文が生成されて無線送信され、通信可能エリアに存在する火災感知器１４で受信される。
【００２６】
イベント端末装置２０からの上りイベント電文を受信した火災感知器１４は、上りイベント電文に感知器アドレスを含ませた上りイベント電文に変換して受信機１０に伝送する。火災感知器１４から受信機１０に対する上りイベント電文の伝送は、火災感知器１４で火災を検出したときと同じ伝送プロトコルに従って行われる。
【００２７】
即ち、火災感知器１４がイベント端末装置２０から上りイベント電文を受信すると、受信機１０からの感知器アドレスを指定したポーリングコマンドの受信に対し、火災検出時と同様に割込信号を送信する。
【００２８】
受信機１０は火災感知器１４からの割込信号を受信すると、グループ検索コマンドを送信し、上りイベント電文を受信した火災感知器からの割込応答を受信することで、グループアドレスを特定する。
【００２９】
グループアドレスを特定したら、グループ内に含まれる８台の火災感知器１４の感知器アドレスを順次指定したポーリングを行う。このため上りイベント電文を受信している火災感知器１４は、受信機１０からのグループ内の感知器アドレスを指定したポーリングによる自己アドレスの判別で、感知器アドレスを含ませた上りイベント電文を火報用伝送回線１２を介して受信機１０に送信する。
【００３０】
受信機１０に対しては、他設備監視装置１６，１８が伝送回線１５を介して接続されている。伝送回線１５としては、例えばＲＳ−２３２ＣやＲＳ−４８５などの伝送インタフェースが適用された伝送回線を使用する。イーサネット（Ｒ）等を使用しても良い。
【００３１】
受信機１０は火災感知器１４から上りイベント電文を受信すると、上りイベント電文に含まれる感知器アドレスを火災感知器１４の設置場所を示すエリア情報に変換する。また上りイベント電文を受信した時刻を示す時刻情報としてタイムスタンプを取得する。
【００３２】
火災感知器１４から取得した上りイベント電文には、送信先を示すベンダ識別子（ベンダＩＤ）と、非常押ボタンのオンオフを示すイベント情報が含まれていることから、これに受信機１０で新たにエリア情報と時刻情報を付加した上りイベント電文を生成し、伝送回線１５により、ベンダ識別子により指定される送信先である例えば他設備監視装置１６に上りイベント電文を送信する。
【００３３】
他設備監視装置１６は受信機１０から受信した上りイベント電文を解読し、そこに含まれているエリア情報、時刻情報、更にイベント情報に基づき、イベント端末装置２０で発生したイベント情報に応じた表示、制御、処理、保存などの処理を行うことになる。
【００３４】
また他設備監視装置１６，１８から、それぞれに対応して設けたイベント端末装置２０，２２に対し、表示、制御などの適宜の処理のために下りイベント電文を送信することができる。
【００３５】
例えば他設備監視装置１６からイベント端末装置２０に情報を送って表示させた場合には、この表示情報をイベント情報とし、イベント端末装置２０の設置場所を示すエリア情報を含む下りイベント電文を、伝送回線１５を介して受信機１０に送信する。
【００３６】
受信機１０は下りイベント電文を受信すると、そのエリア情報から感知器アドレスを識別し、該当する火災感知器のポーリングタイミングで、下りイベント電文をアドレス指定された火災感知器１４に送信する。
【００３７】
火災感知器１４は下りイベント電文を受信すると、そこに含まれるイベント情報を取り出し、下りイベント電文としてイベント端末装置２０に送信する。イベント端末装置２０は、受信した下りイベント電文に含まれるイベント情報に基づき、例えばイベント端末装置２０における表示動作などを行う。
【００３８】
図２は図１の受信機、火災感知器、イベント端末装置及び他設備監視装置の詳細を示したブロック図である。図２において、受信機１０にはＣＰＵ２４が設けられ、プログラムの実行により実現される機能として火災監視処理部３６と受信機中継部３８を設けている。
【００３９】
ＣＰＵ２４に対しては有線伝送部２６が設けられ、有線伝送部２６から火報用伝送回線１２が引き出され、火災感知器１４を接続している。またＣＰＵ２４に対し有線伝送部２８が設けられ、有線伝送部２８から伝送回線１５を介して他設備監視装置１６，１８に接続している。
【００４０】
更にＣＰＵ２４に対しては、火災監視データベース３０、エリア管理テーブル３２及び他設備管理テーブル３４が設けられている。火災監視データベース３０には、火災監視に必要な各種の情報、例えば火災感知器１４における煙や熱といった種別、更には図示しない制御機器に対する連動情報などが格納されている。
【００４１】
エリア管理テーブル３２には、感知器アドレスを、感知器設置場所を示す警戒エリア、ブロック、フロア情報などに変換するための情報が格納されている。他設備管理テーブル３４には、上りイベント電文に含まれるベンダ識別子に対応した他設備名などが格納されている。
【００４２】
受信機１０に接続された火災感知器１４にはＣＰＵ４０が設けられ、ＣＰＵ４０にはプログラムにより実行される機能として火災検出部５２と感知器中継部５４が設けられている。
【００４３】
ＣＰＵ４０に対しては有線伝送部４２が設けられ、有線伝送部４２に火報用伝送回線１２を接続し、受信機１０との間で電文の双方向伝送を行うようにしている。火災感知器１４に設けられた電源部４４は、受信機１０からの火報用伝送回線１２による電源供給を受け、感知器内部に電源を供給する。
【００４４】
この火災感知器１４に対する受信機１０からの電源供給については、通常時にあっては商用ＡＣ１００ボルトの整流による直流電源を供給しているが、停電に備えて、受信機１０には図示しないバッテリー電源が予備電源として設けられており、停電時には例えば３０分に亘りシステムの監視動作を補償する電源バックアップが行われる。
【００４５】
火災感知器１４のＣＰＵ４０に対しては、更に記憶部４６と無線伝送部４８が設けられている。記憶部４６には予め設定された感知器アドレスが記憶されており、記憶部４６としては不揮発性のメモリを使用している。
【００４６】
無線伝送部４８は、アンテナ５０を介してイベント端末２０との間で上りイベント電文、下りイベント電文の無線伝送を行う。無線伝送部４８は小電力無線局に対応しており、例えば４００ＭＨｚ帯の特定周波数を使用して１０ミリワット以下の送信電力で無線送信を行う。
【００４７】
イベント端末装置２０にはＣＰＵ５５が設けられ、ＣＰＵ５５にはプログラムの実行により実現される機能として端末処理部５６が設けられている。ＣＰＵ５５に対し、この実施形態にあっては、非常押ボタン５８、表示部６６、記憶部６４及びアンテナ６２を備えた無線伝送部６０を設けている。
【００４８】
イベント端末装置２０において、非常押ボタン５８の操作が行われると、ＣＰＵ５５の端末処理部５６がイベントを検出してイベント情報を生成し、記憶部６４に予め記憶されているイベントの伝送先を示す他設備監視装置１６のベンダ識別子を含めた上りイベント電文を生成し、無線伝送部６０から小電力無線局の仕様に従った送信信号を作成して、アンテナ６２から送信することになる。
【００４９】
一方、受信機１０に対し伝送回線１５を介して接続した他設備監視装置１６，１８のそれぞれには、端末監視部７０，７４と端末管理テーブル７２，７６が設けられている。端末監視部７０，７４の機能は、それぞれの設備の監視処理内容に依存した処理手順を持っている。端末管理テーブル７２，７６には、それぞれのイベント端末装置２０，２２に対し下りイベント電文を送信するために必要な情報として、端末識別子（端末ＩＤ）、種別及びエリア情報が格納されている。
【００５０】
図２において、防災監視システムとしての動作は、受信機１０のＣＰＵ２４に設けた火災監視処理部３６と火災感知器１４のＣＰＵ４０に設けた火災検出部５２により行われている。
【００５１】
一方、イベント端末装置２０と他設備監視装置１６，１８との間で上りイベント電文及び下りイベント電文を伝送するための処理は、受信機１０のＣＰＵ２４に設けた受信機中継部３８と、火災感知器１４のＣＰＵ４０に設けた感知器中継部５４により行われている。
【００５２】
即ち、イベント端末装置２０のＣＰＵ５５に設けた端末処理部５６は、火災以外の所定のイベント、例えば非常押ボタン５８のボタン操作を検出し、送信先の他設備を特定する他設備監視装置１６を示す宛先識別子であるベンダ識別子と、押ボタン５８のオンオフを示すイベント情報を含む上りイベント電文を無線送信する。
【００５３】
イベント端末装置２０からの上りイベント電文を受信した火災感知器１４は、ＣＰＵ４０の感知器中継部５４により、受信した上りイベント電文に感知器アドレスを含めて受信機１０に送信する。
【００５４】
受信機１０のＣＰＵ２４に設けた受信機中継部３８は、火災感知器１４から受信した上りイベント電文の感知器アドレスを、イベント発生場所を示すエリア情報に変換すると共に、イベント発生時刻を示す時刻情報（タイムスタンプ）を含めた上りイベント電文を、宛先識別子であるベンダ識別子により判別された他設備監視装置１６に送信する。
【００５５】
他設備監視装置１６の端末監視部７０は、受信機１０からの上りイベント電文を受信すると、そこに含まれるエリア情報、時刻情報及びイベント情報に基づいて、イベント端末装置２０で送信した上りイベント情報に対応した監視、制御、表示などの処理を行う。
【００５６】
一方、他設備監視装置１６からイベント端末装置２０に下りイベント電文を伝送する際には、端末監視部７０で端末監視テーブル７２を参照し、イベント端末装置２０の設置場所を示すエリア情報、及びイベント端末装置２０に対する処理情報例えば表示情報を含む下りイベント電文を生成し、受信機１０に伝送する。
【００５７】
受信機１０は、受信機中継部３８で下りイベント電文のエリア情報を、エリア監視テーブル３２の参照により感知器アドレスに変換し、変換した感知器アドレスのポーリングタイミングで下りイベント電文を火災感知器１４に送信する。
【００５８】
火災感知器１４の感知器中継部５４は、受信機１０から受信した下りイベント電文からイベント情報を取り出し、ベンダＩＤに基づきイベント端末を特定し、イベント端末装置２０に送信する。イベント端末装置２０は、端末処理部５６において受信した下りイベント電文に含まれるイベント情報から、例えば表示部６６に他設備監視装置１６から指示された内容を表示させる。
【００５９】
図３は本実施形態の受信機１０と火災感知器１４の間で伝送される呼出電文と応答電文のフォーマットを示した説明図である。図３（Ａ）は受信機１０から火災感知器１４に送信する呼出電文７８であり、８ビットのコマンド、アドレス及びチェックサムで構成されており、それぞれの先頭にスタートビットが設けられ、また末尾にパリティビットＰＲとストップビットを配置している。
【００６０】
図３（Ｂ）は火災感知器１４から受信機１０に送信される応答電文８０である。応答電文８０は８ビットのデータとアドレスチェックサムで構成されており、それぞれの先頭にスタートビットが設けられ、末尾にパリティビットＰＲとストップビットを配置している。
【００６１】
図３（Ａ）の呼出電文７８で使用するコマンドとしては、通常監視時に感知器の正常応答を求めるポーリングコマンド、火災割込みに対しグループ検索を行うグループ検索コマンドなどが主なものである。
【００６２】
図４は本実施形態における上りイベント電文のフォーマットを示した説明図である。図４（Ａ）はイベント端末装置２０，２２から火災感知器１４に送信される上りイベント電文８２−１である。この上りイベント電文８２−１は、電文の宛先を示す他設備を表すベンダ識別子８４と、押ボタンスイッチのオンオフ情報などを含むイベント情報８６で構成される。また、イベント電文８２−１の先頭にはスタートビットが設けられ、末尾にはパリティビットとストップビットが配置されている。
【００６３】
上りイベント電文８２−１におけるベンダ識別子８４とイベント情報８６は、図３（Ａ）の応答電文８０のデータに対応して８ビットであるが、この８ビットのデータ部は必要に応じて可変することができ、イベント情報８６としてオンオフ情報以外に画像などのデータも送ることができる。
【００６４】
図４（Ｂ）は火災感知器１４から受信機１０に送信される上りイベント電文８２−２を示す。上りイベント電文８２−２はデータ部８８とアドレス＋チェックサム９０で構成され、これは図３（Ｂ）の応答電文８０に対応している。上りイベント電文８２−２のデータ８８には、図４（Ａ）のイベント端末装置２０，２２側から受信した上りイベント電文８２−１に含まれているベンダ識別子８４とイベント情報８６が配置される。
【００６５】
図４（Ｃ）は受信機１０から他設備監視装置１６，１８に送信される上りイベント電文８２−３を示す。上りイベント電文８２−３は、伝送回線１５の伝送インタフェースである例えばＲＳ−２３２Ｃに対応したフォーマットとして、ヘッダ９２、データ９４及びＣＲＣ９６で構成されている。
【００６６】
データ９４の部分には、図４（Ｂ）の上りイベント電文８２−２のデータ８８を構成しているベンダ識別子８４とイベント情報８６に加え、上りイベント電文８２−２の感知器アドレスから変換したエリア情報９８と、上りイベント電文８２−２の受信時刻に対応したタイムスタンプなどを用いた時刻情報１００を付加している。
【００６７】
図５は本実施形態における下りイベント電文のフォーマットを示した説明図である。図５（Ａ）は他設備監視装置１６，１８から受信機１０に送信される下りイベント電文１０２−１を示す。下りイベント電文１０２−１は、伝送回線１５の伝送インタフェースである例えばＲＳ−２３２Ｃに対応したヘッダ１０４、データ１０６及びＣＲＣ１０８で構成されている。
【００６８】
データ１０６の部分には、宛先のイベント端末装置２０，２２の設置場所を示すエリア情報１１０、送信時刻を示すタイムスタンプなどの時刻情報１１２、送信元を示すベンダ識別子１１４、及びイベント端末装置２０に対する表示や制御の内容を示すイベント情報１１６で構成されている。なお時刻情報１１２については、イベント端末装置２０側で処理が必要ない場合には除くことができる。
【００６９】
図５（Ｂ）は受信機１０から火災感知器１４に送信される下りイベント電文１０２−２を示す。下りイベント電文１０２−２は、８ビット構成を取るコマンド１１８、アドレス１２０、データ１２２及びチェックサム１２４で構成され、それぞれの先頭にはスタートビットが配置され、末尾にはパリティビットＰＲとストップビットが配置されている。
【００７０】
データ１２２には、図５（Ａ）に示す他設備監視装置１６，１８から受信した下りイベント電文１０２−１に含まれるベンダ識別子１１４とイベント情報１１６が配置される。またアドレス１２０は、図５（Ａ）の下りイベント電文１０２−１に含まれるエリア情報１１０をエリア管理テーブル３２の参照により変換した感知器アドレスが配置される。
【００７１】
図５（Ｃ）は火災感知器１４からイベント端末装置２０，２２に送信される下りイベント電文１０２−３を示す。下りイベント電文１０２−３は、図５（Ｂ）の下りイベント電文１０２−２のデータ１２２に配置されているベンダ識別子１１４とイベント情報１１６を含み、先頭にスタートビットを配置し、末尾にパリティビットＰＲとストップビットを配置している。
【００７２】
なお、図５の下りイベント電文１０２−１〜１０２−３におけるイベント情報１１６についても、オンオフ情報以外に画像データなどを送ることが可能であり、したがってイベント情報１１６としては、８ビット単位に適宜に増減可能な可変長のデータとすることができる。
【００７３】
図６は図２の受信機１０に設けたエリア管理テーブル３２の詳細を示した説明図である。図６において、エリア管理テーブル３２は系統１〜ｎに分けて作られており、各系統ごとに感知器アドレス００１〜２５５が割り当てられ、感知器アドレスのそれぞれに対応して、エリア情報として建物のフロアや部屋名が登録されている。
【００７４】
このため、感知器アドレスによりエリア管理テーブル３２を参照することでエリア情報に変換することができ、またエリア情報によりエリア管理テーブル３２を参照することで感知器アドレスに変換することができる。
【００７５】
図７は図２の他設備管理テーブル３４の詳細を示した説明図である。図７において、他設備管理テーブル３４は他設備を示すベンダ識別子と設備名で構成されている。したがって、上りイベント電文に含まれるベンダ識別子により他設備管理テーブル３４を参照することで、宛先となる設備名を特定することができる。設備名としては、特定の名称であってもよいし、伝送回線１５のＲＳ−２３２Ｃインタフェースにおけるネットワークアドレスなどであってもよい。
【００７６】
図８は図２の他設備監視装置１６に設けた端末管理テーブル７２の詳細を示した説明図である。図８において、端末管理テーブル７２には、イベント端末装置を示す端末識別子、イベント端末装置におけるセンサ、表示、制御といった種別、更にイベント端末装置の設置場所を示すエリア情報が予め登録されている。
【００７７】
このため、他設備監視装置１６で特定のイベント端末装置に対し制御や表示といったイベント情報を送りたい場合には、端末管理テーブル７２の端末識別子からエリア情報を取得し、取得したエリア情報を用いて、図５（Ａ）に示す下りイベント電文１０２−１を作成して受信機側に送信すればよい。
【００７８】
図９は本実施形態における防災監視システムにおける通常監視時の伝送タイミングを示したタイムチャートである。図９にあっては、受信機１０に対し４台の火災感知器１４−１〜１４−４を示しており、火災感知器１４−１〜１４−４のアドレスをアドレス１〜４としている。受信機１０は、一括ＡＤ変換コマンド１２６を送信した後、一定間隔で２５５の最大感知器数に対応したアドレスを順次指定したポーリングコマンド１３０−１〜１３０−２５５を送信し、その後、再び一括ＡＤ変換コマンド１２６を送信する。
【００７９】
一括ＡＤ変換コマンド１２６を受信した火災感知器１４−１〜１４−４は、一斉に火災検出情報のサンプリング１２８−１〜１２８−４を行い、サンプリングしたデータと火災レベルを比較し、火災検出の有無を判断している。
【００８０】
ポーリングコマンド１３０−１，１３０−２，１３０−３，１３０−４，・・・のそれぞれに対しては正常監視動作を示す応答１３２−１〜１３２−４を送信する。もし火災感知器側から応答が得られない場合には、受信機１０にあっては、その火災感知器を障害として処理することになる。
【００８１】
図１０は本実施形態における火災発生時の伝送タイミングを示したタイムチャートである。図１０において、一括ＡＤ変換コマンド１２６による火災感知器１４−１〜１４−４のサンプリング１２８−１〜１２８−４において、例えば火災感知器１４−１で火災判断が行われたとすると、次のポーリングコマンド１３０−１のタイミングで割込信号１３６を送信する。
【００８２】
この割込信号を受けて受信機１０は、グループ検索コマンドによるポーリング１３４を行う。グループ検索コマンド１３４に対し、火災感知器１４−１を含むグループアドレスが判別され、その内、火災を検出している火災感知器１４−１がグループ応答として割込応答１３８を送信する。
【００８３】
この割込応答１３８により受信機１０は、火災感知器１４−１を含む８台の火災感知器のグループで火災検出が行われることを認識し、火災感知器１４−１のアドレス１からアドレス８までを順次指定しながらグループ内検索のためのポーリングコマンド１３５−１，１３５−２，・・・を送信する。
【００８４】
このとき１番目のポーリングコマンド１３５−１に対し、火災を検出している火災感知器１４−１が火災応答１４０を行う。これによって受信機１０は、アドレス１の火災感知器１４−１で火災検出が行われたことを認識し、感知器アドレスからエリア情報に変換し、火災警報表示を行うことになる。
【００８５】
図１１は本実施形態における火災監視処理を示したタイムチャートである。図１１において、受信機１０は、ステップＳ１で一括ＡＤ変換コマンドを送信し、これを受けて火災感知器１４が、ステップＳ２でＡＤ変換により検出データを取得し、ステップＳ３で火災レベルを超えることで火災を検出したとする。
【００８６】
続いて、火災感知器１４のアドレスを指定した受信機１０からのステップＳ４におけるポーリングコマンドに対し、ステップＳ５で火災感知器１４が割込応答を送信する。これを受けて、ステップＳ６で受信機１０はグループ１の検索コマンドを送信する。ここで、火災を検出した火災感知器がグループ２に所属していたとすると、ステップＳ６のグループ１の検索コマンドに対し、火災感知器１４はステップＳ７で無応答となる。
【００８７】
続いて受信機１０は、ステップＳ８でグループ２の検索コマンドを送信し、火災を検出している火災感知器１４はグループ２に属することから、ステップＳ９で割込応答を送信する。ステップＳ９の割込応答を受信した受信機１０は、ステップＳ１０でグループアドレス内の感知器アドレスの第１番目を指定し、グループ内第１検索コマンドを送信する。
【００８８】
ここで、受信機１０がグループ内の第２アドレスであったとすると、ステップＳ１１で無応答となる。次に受信機１０は、ステップＳ１２でグループ内第２検索コマンドを送信する。これに対し、受信機１０は自己アドレスを判別し、ステップＳ１３で火災応答を送信する。
【００８９】
ステップＳ１３の火災応答に対し、受信機１０は、ステップＳ１４で火災を検出した感知器アドレスを認識し、火災警報処理を実行する。更にステップＳ１５で必要に応じて他設備に火災移報を行う。これを受けて他設備監視装置１６にあっては、ステップＳ１６で火災移報処理を実行する。
【００９０】
続いて受信機１０は、ステップＳ１７でグループ内第３検索コマンドを送信し、これに対してはステップＳ１８で無応答となり、以下、グループに属する８番目となるグループ内第８検索コマンドまでの送信をステップＳ１９で行い、これに対してもステップＳ２０で無応答となり、その後、ステップＳ２１から再び通常のポーリングに移行する。
【００９１】
図１２は本実施形態における上りイベント電文の伝送処理を示したタイムチャートである。図１２において、イベント端末装置２０においてステップＳ２２で非常押ボタンの操作などによりイベントが発生すると、ステップＳ２３で図４（Ａ）に示す上りイベント電文８２−１を作成して火災感知器１４に送信する。
【００９２】
火災感知器１４は、ステップＳ２４で、受信した上りイベント電文に基づき図４（Ｂ）に示す感知器の上りイベント電文８２−２を生成する。一方、受信機１０にあっては、ステップＳ２５で、通常のポーリングにより例えば火災感知器１４のアドレスを指定したポーリングを行う。このポーリングに対し火災感知器１４は自己アドレスとの一致を判別し、ステップＳ２６で割込応答を送信する。割込応答を受信した受信機１０は、ステップＳ２７でグループ１の検索コマンドを送信する。
【００９３】
ここで火災感知器１４がグループ２に属していたとすると、ステップＳ２８で無応答となる。続いて受信機１０は、ステップＳ２９でグループ２の検索コマンドを送信する。このとき火災感知器１４はグループ２に属していることから、ステップＳ３０で割込応答を送信する。
【００９４】
これによって受信機１０は、割込みを行った火災感知器１４がグループ２に属していることを認識でき、続いてグループ内の感知器アドレスを順次指定した検索コマンドを送信する。即ち、ステップＳ３１でグループ内の第１検索コマンドを送信し、これに対してはステップＳ３２で無応答となる。
【００９５】
続いてステップＳ３３でグループ内第２検索コマンドを送信するが、これが割込みを行った火災感知器１４の感知器アドレスに一致し、ステップＳ３４で上りイベント電文を受信機１０に送信する。受信機１０は、ステップＳ３５で、受信した上りイベント電文に基づき図４（Ｃ）に示す受信機での上りイベント電文８２−３を生成し、ステップＳ３６で他設備監視装置１６に送信する。他設備監視装置１６は、ステップＳ３７で受信機１０からの上りイベント電文を受信し、イベント電文に含まれているエリア情報、時刻情報及びイベント情報に基づき、所望の監視処理を実行する。
【００９６】
続いて受信機１０は、ステップＳ３８〜Ｓ４０でグループ内第３検索コマンドから最後の第８検索コマンドまでを順次送信するが、これに対し火災感知器１４側は、ステップＳ３９〜Ｓ４１に示すように無応答となり、その後、再びステップＳ４２で通常のポーリングに戻る。
【００９７】
図１３は本実施形態における下りイベント電文の伝送処理を示したタイムチャートである。図１３において、他設備監視装置１６でイベント端末装置２０に対するイベント情報を送信するためのイベントがステップＳ４４で発生すると、ステップＳ４５で図５（Ａ）に示した下りイベント電文１０２−１を生成して受信機１０に送信する。
【００９８】
一方、受信機１０にあっては、ステップＳ４３で火災感知器１４に対し通常のポーリングを行っている。続いてステップＳ４６で他設備監視装置１６から下りイベント電文を受信すると、図５（Ｂ）に示す下りイベント電文１０２−２を生成し、ステップＳ４７で、下りイベント電文に変換した感知器アドレスに対するポーリングタイミングで、下りイベント電文を火災感知器１４に送信する。
【００９９】
火災感知器１４は、受信機１０からの下りイベント電文を受信すると、ステップＳ４８で図５（Ｃ）に示した感知器の下りイベント電文１０２−３を生成し、ステップＳ４９でイベント端末装置２０に対し電文を送信する。
【０１００】
イベント端末装置２０は、ステップＳ５０で受信した感知器からの下りイベント電文を解読し、イベント情報に含まれる制御、表示などの処理を行う。この下りイベント電文の伝送が済むと、受信機１０はステップＳ５１で再び通常のポーリングに戻る。
【０１０１】
図１４は図２のイベント端末装置２０のＣＰＵ５５に設けた端末処理部５６による端末処理を示したフローチャートである。図１４において、端末処理は、ステップＳ１０１でイベント発生を判別すると、ステップＳ１０２に進み、イベントデータを読み込み、ステップＳ１０３でベンダ識別子を付加した上りイベント電文を作成し、ステップＳ１０４で電文を火災感知器１４に送信する。
【０１０２】
一方、ステップＳ１０５で火災感知器１４から下りイベント電文を受信した場合には、ステップＳ１０６で電文を解読し、電文のイベント情報に基づき、ステップＳ１０７でイベント端末装置における制御、表示、処理を実行する。
【０１０３】
図１５は図２の火災感知器１４のＣＰＵ４２に設けた火災検出部５２及び感知器中継部５４による感知器処理を示したフローチャートである。図１５において、感知器処理は、ステップＳ１０８で受信機１０からのポーリングを判別すると、ステップＳ１０９で正常応答を送信する。
【０１０４】
続いてステップＳ１１０で上りイベント電文をイベント端末装置から受信したことを判別すると、ステップＳ１１１で感知器アドレスを付加した上りイベント電文を作成し、ステップＳ１１２で自己の感知器アドレスを指定したポーリングに対し割込応答を送信する。
【０１０５】
続いてステップＳ１１３でグループ検索コマンドを受信すると、ステップＳ１１４で割込応答を送信する。続いてステップＳ１１５で自己アドレスを指定したポーリングコマンドを受信すると、ステップＳ１１６において上りイベント電文を送信する。続いてステップＳ１１７で下りイベント電文の受信を判別すると、ステップＳ１１８で感知器アドレスを外した下りイベント電文を作成し、ステップＳ１１９で下りイベント電文をイベント端末装置に送信する。
【０１０６】
一方、ステップＳ１２０で火災検出を判別した場合には、ステップＳ１２１で火災情報送信処理を実行する。この火災情報送信処理はステップＳ１１２〜Ｓ１１６と基本的に同じであり、ステップＳ１１６における処理が火災応答の送信となる。
【０１０７】
図１６は図２の受信機１０に設けたＣＰＵ２４における火災監視処理部３６及び受信機中継部３８による受信機処理を示したフローチャートである。図１６の受信機処理において、ステップＳ１２２で正常監視のためのポーリングコマンドの送信を行っており、ステップＳ１２３で正常監視応答が受信されない場合には、ステップＳ１２４で、そのポーリングコマンドの感知器アドレスについて感知器障害処理を行う。
【０１０８】
続いてステップＳ１２５で火災感知器側からの割込受信を判別すると、ステップＳ１２６で割込感知器の検索処理を実行する。この検索処理は、まずグループ検索コマンドを送信し、応答が得られたグループにつき、グループ内の感知器アドレスを順次指定したポーリングを行い、割込みを発生した火災感知器を検索する。続いてステップＳ１２７で、検索した火災感知器にポーリングコマンドを送信し、上りイベント電文を送信させる。
【０１０９】
続いてステップＳ１２８で火災感知器からの電文が上りイベント電文の受信であることを判別すると、ステップＳ１２９に進み、上りイベント電文を読み込んで解読し、ステップＳ１３０で感知器アドレスからエリア情報を生成し、またステップＳ１３１で時刻情報を生成し、ステップＳ１３２でエリア情報と時刻情報を付加した上りイベント電文を作成し、ステップＳ１３３でベンダ識別子で特定される他設備に対し上りイベント電文を送信する。
【０１１０】
またステップＳ１３４で他設備監視装置から下りイベント電文が受信されたことを判別すると、ステップＳ１３５で下りイベント電文を読み込んで解読し、ステップＳ１３６でエリア情報から感知器アドレスを生成し、ステップＳ１３８で、生成した感知器アドレスのポーリングタイミングで下りイベント電文を送信する。
【０１１１】
一方、ステップＳ１２８でポーリングコマンドに対する応答が上りイベント電文でなかった場合には、ステップＳ１３９に進み、火災応答の受信か否かチェックし、火災応答の受信機であった場合には、ステップＳ１４０で火災受信警報処理を実行することになる。
【０１１２】
図１７は本発明による防災監視システムの他の実施形態を示した説明図である。図１７の実施形態にあっては、受信機１０の上位側に防災ＣＲＴシステム１１が伝送回線１５により接続されており、この防災ＣＲＴシステム１１を経由して、伝送回線１５により他設備監視装置１６，１８を接続している。
【０１１３】
一方、受信機１０から引き出された火報用伝送回線１２の火災感知器１４に対しては、無線回線により接続されるイベント端末装置２０に加え、特定の火災感知器１４に対し信号線によりイベント端末装置２１が接続されている。イベント端末装置２１は火災感知器１４と同様、例えば同じ天井面の位置に設置されており、このような場合には、火災感知器１４に対しイベント端末装置２１を信号線で直接接続することができる。
【０１１４】
防災ＣＲＴシステム１１は、受信機１０から感知器アドレスを含む火災検出情報を受けた際に、データベースに予め格納している警戒区域の地図などをＣＲＴ画面に表示して、火災発生場所を視覚的に表示できるようにしている。このため、防災ＣＲＴシステム１１には、図２の受信機１０に設けているエリア管理テーブル３２が設けられている。
【０１１５】
したがって図１７の実施形態については、防災ＣＲＴシステム１１側に図２の受信機１０に設けているエリア管理テーブル３２と他設備管理テーブル３４を設け、受信機１０で受信したイベント端末装置２０，２２からの上りイベント電文をそのまま防災ＣＲＴシステム１１に送る。
【０１１６】
防災ＣＲＴシステム１１においては、上りイベント電文の感知器アドレスをエリア管理テーブル３２の参照によりエリア情報に変換し、且つタイムスタンプなどの時刻情報を生成し、これをベンダ識別子とイベント情報に加えた図４（Ｃ）に示す上りイベント電文８２−３を生成し、伝送回線１５により、対応する例えば他設備監視装置１６に送信する。
【０１１７】
一方、他設備監視装置１６，１８からの下りイベント電文についても、防災ＣＲＴシステム１１においてエリア情報を感知器アドレスに変換して受信機１０に送り、受信機１０側で図５（Ｂ）のような下りイベント電文１０２−２を生成して、感知器アドレスに対応したポーリングタイミングで火報用伝送回線１２に送信することになる。
【０１１８】
なお、上記の実施形態にあっては、火災感知器１４とイベント端末装置２０，２２との間を電波回線で接続するようにしているが、これ以外に赤外線や超音波などの回線で接続するようにしてもよい。
【０１１９】
また上記の実施形態にあっては、通常監視時は火災感知器を順次ポーリングして正常監視応答を求め、火災検出時には割込信号を送信して、グループ検索及びグループ内検索により火災を検出した火災感知器を特定して火災応答を出させるという火報用の伝送プロトコルを使用しているが、本発明は、この火報用の伝送プロトコルに限定されず、受信機一台に対し複数台の火災感知器を接続して、１対ｎのポーリング伝送を行う適宜の伝送プロトコルを利用してイベント電文の上り及び下りの双方向伝送を行わせても良い。
【０１２０】
また本発明における防災監視システムに組み合わせる他設備としては、同じ建物や施設内に設置する設備であれば、その用途や種類による限定は受けない。
【０１２１】
また本発明は、その目的と利点を損なうことのない適宜の変形を含み、更に上記の実施形態に示した数値による限定は受けない。
【図面の簡単な説明】
【０１２２】
【図１】本発明による防災監視システムの実施形態を示した説明図
【図２】図１の受信機、火災感知器、イベント端末及び他設備監視装置の詳細を示したブロック図
【図３】本実施形態の受信機と火災関知器の間で伝送される呼出電文と応答電文のフォーマットを示した説明図
【図４】本実施形態における上りイベント電文のフォーマットを示した説明図
【図５】本実施形態における下りイベント電文のフォーマットを示した説明図
【図６】図２のエリア管理テーブルの詳細を示した説明図
【図７】図２の他設備管理テーブルの詳細を示した説明図
【図８】図２の端末管理テーブルの詳細を示した説明図
【図９】本実施形態における通常監視時の伝送タイミングを示したタイムチャート
【図１０】本実施形態における火災発生時の伝送タイミングを示したタイムチャート
【図１１】本実施形態における火災監視処理を示したタイムチャート
【図１２】本実施形態における上りイベント電文の伝送処理を示したタイムチャート
【図１３】本実施形態における下りイベント電文の伝送処理を示したタイムチャート
【図１４】図１のイベント端末による端末処理を示したフローチャート
【図１５】図１の火災感知器による感知器処理を示したフローチャート
【図１６】図１の受信機による受信機処理を示したフローチャート
【図１７】本発明による防災監視システムの他の実施形態を示した説明図
【符号の説明】
【０１２３】
１０：受信機
１２：火報用伝送回線
１４：火災感知器
１５：伝送回線
１６，１８：他設備監視装置
２０，２２：イベント端末装置
２４，４０，５５：ＣＰＵ
２６，２８，４２：有線伝送部
３０：火災監視データベース
３２：エリア管理テーブル
３４：他設備管理テーブル
３６：火災監視処理部
３８：受信機中継部
４４，６８：電源部
４６，６４：記憶部
４８，６０：無線伝送部
５０，６２：アンテナ
５２：火災検出部
５４：感知器中継部
５６：端末処理部
５８：非常押ボタン
６６：表示部
７０，７４：端末監視部
７２，７６：端末管理テーブル
７８：呼出電文
８０：応答電文
８２−１〜８２−３：上りイベント電文
８４−１〜８４−３：下りイベント電文
【図１】
0005213107.tif 000002
【図２】
0005213107.tif 000003
【図３】
0005213107.tif 000004
【図４】
0005213107.tif 000005
【図５】
0005213107.tif 000006
【図６】
0005213107.tif 000007
【図７】
0005213107.tif 000008
【図８】
0005213107.tif 000009
【図９】
0005213107.tif 000010
【図１０】
0005213107.tif 000011
【図１１】
0005213107.tif 000012
【図１２】
0005213107.tif 000013
【図１３】
0005213107.tif 000014
【図１４】
0005213107.tif 000015
【図１５】
0005213107.tif 000016
【図１６】
0005213107.tif 000017
【図１７】
0005213107.tif 000018